(57)【要約】  積荷の盗難を防止するためのタンパ保護システム（１）は、積荷を覆うための可撓カバーシート（３）と、可撓カバーシートの第一部分に沿って分配される第一組の導電性ワイヤ（５）と、測定及び処理回路構成（６）とを含む。測定及び処理回路構成（６）は、第一組の導電性ワイヤの第一の複合電気抵抗（Ｒ１）を表示する第一の測定値（Ｖ１）を測定し、第一の測定値と第一の基準値（Ｖ１ｒｅｆ）との間の第一の差（ΔＶ１）を決定し、第一の差が所定の第一の閾値よりも下であるならば、第一の測定値に基づき第一の基準値を調節し、さもなければ、前記第一の閾値を超過したことを表示する信号をもたらすよう構成される。
2012531650.tif 000002
【特許請求の範囲】
【請求項１】
積荷の盗難を防止するためのタンパ保護システムであって、
前記積荷を覆うための可撓カバーシートと、
該可撓カバーシートの第一部分に沿って分配される第一組の導電性ワイヤと、
該第一組の導電性ワイヤに接続される測定及び処理回路構成とを含み、
該測定及び処理回路構成は、
前記第一組の導電性ワイヤの第一の複合電気抵抗を表示する第一の測定値を測定し、
該第一の測定値と第一の基準値との間の第一の差を決定し、
該第一の差が所定の第一の閾値よりも下であるならば、前記第一の測定値に基づき前記第一の基準値を調節し、
さもなければ、前記第一の閾値が超過されたことを表示する信号をもたらすよう構成される、
タンパ保護システム。
【請求項２】
前記測定及び処理回路構成は、複数の第一の差の各々が前記第一の閾値を超える場合に限り信号を作動するよう構成される、請求項１に記載のタンパ保護システム。
【請求項３】
前記複数の第一の差は、順次的に決定される、請求項２に記載のタンパ保護システム。
【請求項４】
前記第一組の導電性ワイヤは、前記測定及び処理回路構成に並列に電気的に接続される、請求項１乃至３のうちのいずれか１項に記載のタンパ保護システム。
【請求項５】
前記測定及び処理回路構成は、不規則な時間間隔で測定を開始するよう構成される、請求項１乃至４のうちのいずれか１項に記載のタンパ保護システム。
【請求項６】
前記測定及び処理回路構成は、前記第一組の導電性ワイヤを介して互いに電気的に接続される少なくとも第一制御ユニット及び第二制御ユニットを含む、請求項１乃至５のうちのいずれか１項に記載のタンパ保護システム。
【請求項７】
前記測定及び処理回路構成は、前記第一制御ユニットから前記第二制御ユニットに発信される同期信号に基づき測定を開始するよう構成される、請求項６に記載のタンパ保護システム。
【請求項８】
前記第一の基準値は、電圧であり、
前記測定及び処理回路構成は、
第一の所定電流を前記第一組の導電性ワイヤにもたらすよう配置される第一の電流生成回路構成と、
前記第一組の導電性ワイヤに亘る第一の複合電圧を測定するよう配置される第一の電圧測定回路構成と、
前記第一の複合電圧と前記第一の基準値との間の前記第一の差を検出するよう配置される第一の電圧差測定回路構成とを含む、
請求項１乃至７のうちのいずれか１項に記載のタンパ保護システム。
【請求項９】
前記可撓カバーシートの第二部分に沿って分配される第二組の導電性ワイヤを更に含み、前記測定及び処理回路構成は、前記第二組の導電性ワイヤに接続され、
前記測定及び処理回路構成は、
前記第二組の導電性ワイヤの第二の複合電気抵抗を表示する第二の測定値を測定し、
前記第二の測定値と第二の基準値との間の第二の差を決定し、
該第二の差が所定の第二の閾値値よりも下であるならば、前記第二の測定値に基づき前記第二の基準値を調節し、
さもなければ、前記第二の閾値が超過されたことを表示する信号をもたらすよう構成される、
請求項１乃至８のうちのいずれか１項に記載のタンパ保護システム。
【請求項１０】
前記第一部分及び前記第二部分は、少なくとも部分的に一致するよう配置され、前記第一組の導電性ワイヤの少なくとも１つのワイヤが、前記第一組及び／又は前記第二組の導電性ワイヤの少なくとも１つのワイヤと交差する、請求項９に記載のタンパ保護システム。
【請求項１１】
前記第一組の導電性ワイヤは、第一導体及び共通導体を介して前記測定及び処理回路構成と並行に電気的に接続され、
前記第二組の導電性ワイヤは、第二導体及び前記共通導体を介して前記測定及び処理回路構成と並行に電気的に接続される、
請求項９又は１０に記載のタンパ保護システム。
【請求項１２】
前記共通導体の延長に沿って、前記第一組の導電性ワイヤの少なくとも１つのワイヤのための前記共通導体への接続部が、前記第二組の導電性ワイヤの２つのワイヤのための前記共通導体への接続部の間に配置される、請求項１１に記載のタンパ保護システム。
【請求項１３】
前記第二の基準値は、電圧であり、
前記測定及び処理回路構成は、
第二の所定電流を前記第二組の導電性ワイヤに提供するよう配置される第二の電流生成回路構成と、
前記第二組の導電性ワイヤに亘る第二の複合電圧を測定するよう配置される第二の電圧測定回路構成と、
前記第二の複合電圧と前記第二の基準値との間の前記第二の差を検出するよう配置される第二の電圧差測定回路構成とを含む、
請求項９乃至１２のうちのいずれか１項に記載のタンパ保護システム。
【請求項１４】
積荷の盗難を防止するためのタンパ保護システムにおける使用のためのタンパ保護方法であって、
タンパ保護システムは、
前記積荷を覆うための可撓カバーシートと、
該可撓カバーシートの第一部分に沿って分配される第一組の導電性ワイヤとを含み、
当該方法は、
前記第一組の導電性ワイヤの第一の複合電気抵抗を表示する第一の測定値を測定し、
前記第一の測定値と第一の基準値との間の第一の差を決定し、
該第一の差が所定の第一の閾値よりも下であるならば、前記第一の測定値に基づき前記第一の基準値を調節し、
さもなければ、前記第一の閾値が超過されたことを表示する信号をもたらすことを含む、
タンパ保護方法。
【請求項１５】
請求項１乃至１３のうちのいずれか１項に記載のタンパ保護システム内に含められる測定及び処理回路構成の上で作動するときに請求項１４に記載の方法の実行を可能にするコンピュータプログラム。
【発明の詳細な説明】
【技術分野】
【０００１】
本発明は積荷(cargo)の盗難を防止するためのタンパ保護システムに関する。
【背景技術】
【０００２】
１つの場所から他の場所への物品の流通のために、トラック、貨物列車、及び、貨物船が、輸送のために頻繁に利用される。積荷は可撓カバー、例えば、ターポリン(tarpaulin)によって保護されるのが一般的である。ターポリンは織物、例えば、耐水塗膜又はプラスチックで作製されるので、無節操な人が積荷を開くことを試みるならば、それは然程の保護をも提供し得ない。ターポリンをタンパリング(tampering)する、例えば、ナイフのような鋭い工具で積荷を切断して開けることによって、積荷を全く容易に盗み得る。
【０００３】
積荷の盗難を防止するために、或いは、潜在的な盗難の条件を少なくとも悪化させるために、可撓カバーと一体化な警報システムを実施する努力が行われている。そのような警報システムを実現する１つの方法は、制御回路に接続されるターポリン中に多数の抵抗性電線を含めることであり、制御回路はこれらの抵抗性電線によって形成されるネットワークの抵抗を測定する。電線のうちの１つが切断されるならば、対応する抵抗の変化が記録され、警報が作動される。そのような積荷監視警報システムは、例えば、ＵＳ６，１４４，２９８に開示されており、初期電気パラメータを定める無作為電気接続を作り出すために、電子監視装置に電気的に接続される電線を含む電子フィラメントネッティング(electronic  filament  netting)を導入する。タンパリング又は窃盗の如何なる試みをも監視し且つ警告するために、初期電気パラメータ、例えば、抵抗の変化が電子監視装置に通信される。
【０００４】
ＵＳ６，１４４，２９８は、タンパリング又は窃盗の如何なる試みをも監視し且つ警告することによって積荷の保護を補助し得る電子フィラメントネッティングを記載しているが、正当化される警報と共に、ターポリンのタンパリングに関連しない警報も引き起こし得る。
【発明の概要】
【発明が解決しようとする課題】
【０００５】
従って、警報の作動を正当化する条件とそのような表示を誤って与える条件との間を区別する能力を提供し、それに従って、上記関連する欠点が少なくとも部分的に解消される、積荷保護のための監視解決策の必要が依然としてある。
【課題を解決するための手段】
【０００６】
本発明の第一の特徴によれば、上記欠点は、積荷の盗難を防止するためのタンパ保護システムによって少なくとも部分的に満足され、タンパ保護システムは、積荷を覆うための可撓カバーシートと、可撓カバーシートの第一部分に沿って分配される第一組の導電性ワイヤと、第一組の導電性ワイヤに接続される測定及び処理回路構成とを含む。測定及び処理回路構成は、第一組の導電性ワイヤの第一の複合電気抵抗を表示する第一の測定値を測定し、第一の測定値と第一の基準値との間の第一の差を決定し、第一の差が所定の第一の閾値よりも下であるならば、第一の測定値に基づき第一の基準値を調節し、さもなければ、第一の閾値を超過したことを表示する信号をもたらすよう構成される。
【０００７】
故に、本発明に従った積荷の盗難を防止するためのタンパ保護システムを用いるならば、警報の作動を正当化する条件と誤ってそのような表示を与える条件との間を区別する能力が導入される。
【０００８】
本発明は、例えば、トラック又は船によって支持される積荷を覆う可撓カバーシートが、例えば、積荷を盗むために可撓性カバーシートを横断して切断することによってタンパリングされるとき、可撓性カバーシートの（第一）部分に沿って分配される第一組の導電性ワイヤのワイヤも同様に切断される可能性があるという認識に基づく。そのような切断は、ワイヤ組の（第一）複合電気抵抗に影響を与える。しかしながら、複合電気抵抗は年数及び環境条件によっても追加的に影響され、故に、時間、温度、及び／又は、湿度で異なり得る。環境的効果と関連付けられる複合電気抵抗に対する影響は、可撓カバーシートのタンパリングに関連付けられる効果と異なる特性を有する。前者は複合電気抵抗の値をゆっくりと変動（ドリフト）させる傾向を有するのに対し、後者は複合電気抵抗の値をむしろ一気に増大させる傾向を有する。より多くのワイヤが切断されるほど、より高く増大する。発明者は、（第一）基準値を導入し、複合電気抵抗を表示する測定値をそれと比較し、基準値と測定値との間の（第一）差が（第一）閾値を超えないならば、この基準値が測定値に基づき調節されることを可能にすることによって、複合電気抵抗に影響を及ぼす現在の環境条件を反映するよう基準値を更新し得ることを認識した。従って、基準値は時間の経過と共に異なり得る。
【０００９】
他方、差がより大きな大きさを有するならば、可撓カバーシートがタンパリングされ、正当な警報のための条件が充足されたと考え得る可能性がある。従って、差が閾値を超えるならば、処理回路構成は、閾値が超過したことを表示する信号をもたらすよう構成され、引き続き、それに基づき警報を作動してもよく、或いは、ＯＫ信号が最早もたらされない。故に、閾値は、好ましくは、可撓カバーシートのタンパリングに起因する複合電気抵抗の変化が閾値を超えるのを可能にするが、環境的影響に起因する変化が閾値を超えることを可能にしないように選択される。
【００１０】
それによって、現在のタンパ保護システムは、結果的に、警報の作動を正当化する条件とそのような表示を誤って与える条件との間を区別する能力をもたらし、それによって、可撓カバーシートのタンパリングよりもむしろ環境的影響に関連する複合電気抵抗変動に基づく警報の作動を回避し得る。
【００１１】
導電性ワイヤ組のワイヤは任意の長さを有し、例えば、銀塗装ポリエステル又はナイロン、例えば、Ｓｔａｔｅｘナイロン  １１７／１７（８ｋΩ／ｍ）、ステンレス鋼、例えば、Ｄｕｒａｆｉｌ  Ｍ−Ｓｐｕｎ（１０ｋΩ／ｍ及び１００ｋΩ／ｍ）若しくはＢｅｋｉｎｏｘ、炭素塗装金属及び銅のうちの１つ、又は、それらの組み合わせであり得る。故に、ワイヤの１メートル当たりの理論抵抗は、好ましくは、１００Ω／ｍから１ＭΩ／ｍの間、より一層好ましくは、１ｋΩ／ｍから１００ｋΩ／ｍの間であり得るが、必ずしもそうである必要はない。前述の特性を備えるワイヤを選択することは、測定の精度を妥協することなく、電力消費の最適化及び／又は低減を可能にし得る。ワイヤの一部又は全部は、短絡の回避のために絶縁層を更に含み得る。
【００１２】
例えば、ウィービング(weaving)、スティッチ溶接(stitching)、ラミネート(laminating)、印刷(printing)、又は、接着(gluing)によって、導電性ワイヤの組を第一部分と一体化し得る。代替的に、導電性ワイヤの組は、別個のシートの上に設けてもよく、別個のシートは、引き続き、例えば、可撓カバーシートの内側に付着される。
【００１３】
１つの実施態様によれば、基準値と測定値との間の複数の差の各々が閾値を超える場合に限り第一の閾値を超過したことを表示する前述の信号を作動するよう測定及び処理回路構成を構成し得る。故に、複数のサンプル、即ち、差の幾つかの測定値を警報の作動が正当化されるか否かの決定の考慮に入れることによって、可撓カバーシートのタンパリングを誤って表示するよりもむしろ単一の誤った差の値を無視し得る。この場合には、基準値と測定値との間の差の少なくとも１つの追加的なサンプルも閾値を超えない限り、第一閾値を超過したことを表示する信号はもたらされない。追加的なサンプルは、如何なる任意の以前に測定された及び／又は引き続き測定された差であり得る。しかしながら、潜在的な盗難の試みの効率的な検出をもたらすために適切に近接した時間範囲内の１つ又は幾つかのサンプルを見ることは有利であり得る。
【００１４】
その上、複数の差を順次的に決定し得る。それによって、閾値を超過したことを表示する信号が提供されるべきか否かを決定するに先立ち、少なくとも２つの連続的なサンプルが考慮に入れられる。
【００１５】
測定及び処理回路構成に対して導電性ワイヤの組を配置する異なる方法があり得る。１つの実施態様によれば、導電性ワイヤの組を測定及び処理回路構成に並列に電気的に接続し得る。導電性ワイヤの組が測定及び処理回路構成に並列に電気的に接続されることは、ワイヤ相互の物理的な向きが平行な配置に限定されるべきことを必ずしも示さないことに留意のこと。逆に、ワイヤを互いに対して任意に分配し得る。ワイヤは交差点で電気接触してもよく、絶縁状態に維持されてもよい。後者の構造は、確実な電気接続を行う必要がないという利点を有し、そのような確実な電気接続は、例えば、そのような電気接続を隠すシームのないターポリンの中央において達成するのは困難であり得る。例えば、少なくとも部分的に経糸及び緯糸状にネッティング(netting)を形成するワイヤを用いるならば、積荷を盗む意図を伴う可能な開口切断の大きさは更に限定され、潜在的な窃盗犯人がワイヤの少なくとも１つも切断せずに可撓カバーシートを切断することを更に一層困難にする。
【００１６】
タンパ保護システムを駆動する電池のような電源の消耗を回避し且つ電力消費を合理的なレベルに維持するために、測定を間欠的に行い得る。故に、例えば、１Ｈｚの周波数で所定の時間間隔で周期的に測定を作動するよう処理回路構成を構成し得る。しかしながら、様々な実施態様によれば、無作為な時間間隔のように非周期的に測定を作動するよう測定及び処理回路構成を構成し得る。不規則な時間間隔での測定は、無節操な人がタンパ保護システムを「ハッキング」すること、即ち、迂回策を一時的に装着することによってシステムを無効化することを試みることの困難性を増大する。例えば、導電性ワイヤの組の端子で電圧及び電流を測定し、それによって、複合電気抵抗を決定し、次に、２つの測定の間の休止時間中に交換用の抵抗器を提供することによって、そのような無効化を試み得る。故に、無作為のような不規則な時間間隔での測定の実施は、次の測定がいつ起こるかを予期し得ない点で、潜在的なハッカーのための条件を悪化する。
【００１７】
潜在的なハッカーがタンパ保護システムを無効化することをより一層困難にするために、測定及び処理回路構成は、少なくとも、導電性ワイヤの組を介して互いに電気的に接続される第一制御ユニット及び第二制御ユニットを含み得る。それによって、第一制御ユニット及び第二制御ユニットは互いに通信し合い、それによって、積荷の窃盗の試みを防止するための補足機能が提供される。通信は、例えば、あらゆる特定のタンパ保護システムのための異なる鍵を備える暗号化アルゴリズムに基づき得る。潜在的なハッカーはこの鍵を知らないので、潜在的なハッカーは、システムをハッキングする試みにおいて、第一又は第二の制御ユニットのための交換物を一時的に装着し得ない。
【００１８】
加えて、第一及び第二の制御ユニットが導電性ワイヤの組を介して接続され、好ましくは、導電性ワイヤの組の異なる端部で互いに分離されるよう構成することによって、代替の抵抗器を装着することによってタンパ保護システムをハッキングすることを試みる如何なる攻撃者も、更に他の障害に遭遇する。第一及び第二の制御ユニットの間の交換接続を行うことを試みる際に、攻撃者は互いに離間して配置されるワイヤにアクセスしなければならないことに直面する。第一及び第二の制御ユニットを導電性ワイヤの組に接続するワイヤにアクセスすることをより一層困難にするために、制御ユニットの一方又は両方を可撓カバーシートに更に一体化し、それによって、制御ユニットの一方又は両方を攻撃者から隠されたままにする。
【００１９】
その上、第一及び第二の制御ユニットを導電性ワイヤの組に接続する任意のワイヤが潜在的な窃盗犯人によって単に切断されるならば、タンパ保護システムは、前述したように、閾値を超えたことを表示する信号をもたらし、それによって、警報を作動し得る。
【００２０】
２つの制御ユニットに対する追加的な機能性を備えることで、更に他の利点をタンパ保護システムから引き出し得る。例えば、制御ユニットの一方又は両方が測定のために利用されるよう、測定機能性を２つの間に分配し得る。導電性ワイヤの組に電流をもたらすよう制御ユニットの一方を構成するのに対し、導電性ワイヤの組に亘る電圧を測定するよう他方の制御ユニットを構成し得る。その上、機能性分配は、制御ユニット間で時間の経過と共に変化する。１つの実施態様によれば、第一制御ユニットから第二制御ユニットに送信される同期信号、例えば、二進コードに基づき測定及び処理回路構成を構成し得る。その場合における可能なシナリオは、同期信号が第一制御ユニットから第二制御ユニットに送信され、それが第二制御ユニットを作動し、例えば、二進コードによって命令されるリズム(rhythm)に従って、導電性ワイヤの組への電流をスイッチオン／オフすることである。同時に、第一制御ユニットは、例えば、同じリズムで導電性ワイヤの組に亘る電圧を測定する。それによって、機能性の分配並びに測定のタイミングの予測不能性を達成し、それによって、２つの制御ユニットの効率的な使用及び潜在的な窃盗犯人のための条件悪化を達成し得る。
【００２１】
本発明のタンパ保護システムの実施の１つの実現可能な有利な方法は、導電性ワイヤの組に亘る電圧測定値を利用することであり得る。従って、第一の基準値は、電圧であり得るし、測定及び処理回路構成は、第一の所定電流を第一組の導電性ワイヤにもたらすよう配置される第一電流生成回路構成と、第一組の導電性ワイヤに亘る第一の複合電圧を測定するよう配置される第一の電圧測定回路構成と、第一の複合電圧と第一の基準値との間の第一の差を検出するよう配置される第一の電圧差測定回路構成とを含み得る。それによって、導電性ワイヤの組を通じる電流は既知であるので、第一の複合電圧は、第一組の導電性ワイヤの第一の複合電気抵抗を表示する。所定電流が時間の経過と共に一定に留まることは必ずしも必要ではないことに留意のこと。逆に、むしろ所定電流を調節し得る。それによって、最適な電力消費を時間の経過と共に維持し得る。複合電気抵抗は環境条件並びに導電性ワイヤの組の経年変化と共に変化し得るので、この変化を補償するよう所定電流を調節し得る。加えて、所定電流の振幅を不規則に変更し得る、例えば、無作為化し得る。それによって、潜在的なハッカーは、交替する抵抗器の寸法を規則するのがより困難である点で、タンパ保護システムを無効化するのに増大された困難性を有する。
【００２２】
一般的に、本発明の導電性ワイヤの組は、たった数本から数百本に亘る任意の数の、例えば、４００本のワイヤを含み得る。より一層大きな数のワイヤは可撓カバーシートのより大きな部分がワイヤ又はワイヤのより大きな密度で覆われることを可能にするが、より大きな数は、場合によっては、環境的影響に起因する複合電気抵抗変化から（確実な方法で）区別するのがより困難な、切断ワイヤに起因する複合電気抵抗変化をもたらす。即ち、後者の場合、閾値は比較的低く設定される必要があり、よって、可撓カバーシートのタンパリングよりもむしろ環境的変化に起因する警報を作動する可能性を増大する。従って、不当な警報を表示する危険性を低く抑えながら、可撓カバーシートのより大きな部分の覆いを支持するために、或いは、潜在的な窃盗犯人のための条件を悪化するネッティングパターンの形成のために、タンパ保護システムは、可撓カバーシートの第二部分に亘って分配される第二組の導電性ワイヤを更に含み得る。測定及び処理回路構成を第二組の導電性ワイヤに接続し、更に、第二組の導電性ワイヤの第二の複合電気抵抗を表示する第二の測定値を測定し、第二の測定値と第二の基準値との間の第二の差を決定し、第二の差が所定の第二の閾値値よりも下であるならば、第二の測定値に基づき第二の基準値を調節し、さもなければ、第二の閾値を超過したことを表示する信号をもたらすよう更に構成し得る。それによって、第二組の導電性ワイヤを備えるならば、可撓カバーシートのタンパリングに起因する複合電気抵抗変化から環境的影響に起因する複合電気抵抗変化を確実な方法で区別する能力を妥協することなく、タンパ保護システムのワイヤの数を増大し得る。即ち、同じ数のワイヤのために一組の導電性ワイヤのみが利用される場合に比べて、第一及び第二の閾値のそれぞれを比較的高く設定することができ、タンパリングの試みのために環境変化に起因する第一及び／又は第二の複合電気抵抗変化を偶発的に取り違える危険性を減少し得る。加えて、潜在的なハッカーがタンパ保護システムを無効化することを試みるならば、潜在的なハッカーは、１つの交換用の抵抗器だけでなく、２つもの交換用の抵抗器（導電性ワイヤの各組のために１つずつ）を適合し且つ一時的に装着することが必要であり得る。
【００２３】
構成部品の数を最少に維持するために、第二組の導電性ワイヤを第一組の導電性ワイヤと直列に電気的に接続し得る。このようにして、第一組及び第二組の導電性ワイヤの両方に単一の電流をもたらすことができ、それによって、両方の組の導電性ワイヤのために単一の電流生成回路構成を利用し得る。その上、第一及び第二の複合電気抵抗を表示する測定値を交互に測定するよう測定及び処理回路構成を構成し得る。従って、資源を効率的な方法で利用し得る。加えて、警報を引き続き作動し得る第一及び／又は第二の閾値の超過を表示する第一及び／又は第二の信号の提供は、それぞれの第一及び第二の閾値の両方を超過したか否かを分析することに基づき得る。それによって、可撓カバーシートのタンパリングと無関係な第一組又は第二組の導電性ワイヤのいずれかの破損ワイヤに起因する警報の作動を回避し得る。
【００２４】
第一組及び／又は第二組の導電性ワイヤのワイヤを概ね互いに物理的に任意に配置することができ、任意な無機の無数の分配パターンを実現可能である。その上、第一組及び第二組の導電性ワイヤを互いに無関係に物理的に任意に、例えば、少なくとも部分的に重なり合って配置してよく、経糸及び緯糸状にさえ配置し得る。従って、少なくとも部分的に一致するよう可撓カバーシートの第一部分及び第二部分を配置し得る。好ましくは、第一組の導電性ワイヤの少なくとも１つのワイヤは、第一組及び／又は第二組の導電性ワイヤの少なくとも１つのワイヤと交差し得る。それによって、第一組及び第二組の導電性ワイヤは、ワイヤの少なくとも１つを同時に切断せずに切断し得る可能な開口の大きさを限定するよう協働する。その上、各組の導電性ワイヤ内に様々な異なる向きを備えるワイヤがあり得る。例えば、導電性ワイヤの組の少なくとも１つのワイヤは、同じ組の少なくとも１つの他のワイヤと交差し得る。それによって、各組内のワイヤは、ワイヤの少なくとも１つを同時に切断せずに切断し得る可能な開口の大きさを限定するよう協働する。故に、異なる組のワイヤは、ワイヤ間の平均距離を減少することによって、これらの開口の大きさを更に限定するよう協働し得る。
【００２５】
第一組の導電性ワイヤに関連する構成部品を第二組の導電性ワイヤのためにも効率的に利用するために、第一組の導電性ワイヤを第一導体及び共通導体を介して測定及び処理回路構成に並列に電気的に接続し、第二組の導電性ワイヤを第二導体及び共通導体を介して測定及び処理回路構成に並列に電気的に接続し得る。従って、共通導体は、第二組の導電性ワイヤのために再使用される。この実施態様によれば、より少ない構成部品が必要とされる。その上、共通導体の切断を引き起こすタンパリングは、第一組及び第二組の両方の導電性ワイヤの測定値に影響を及ぼす。それによって、測定値は第一及び第二の閾値の両方の超過を表示し、次に、そのフィードバックは警報の作動のための基礎を形成し得る。加えて、第一導体、第二導体、及び／又は、共通導体を、例えば、縁部シームにおいて、可撓カバーシートと一体化する、例えば、織り合わせることができ、それによって、導体は隠された状態に維持され、故に、潜在的な窃盗から保護される。導体は極めて伝導的であるのが好ましく、導体を、例えば、銅線で構成し得る。
【００２６】
潜在的なハッカーのための条件をより一層悪化するために、共通導体への第一組及び／又は第二組の導電性ワイヤのワイヤの接続部を混合して（シャッフル式に）配置し得る。従って、共通導体の延長に沿って、第一組の導電性ワイヤの少なくとも１つのワイヤのための共通導体への接続部を、第二組の導電性ワイヤの２つのワイヤのための共通導体への接続部の間に配置し得る。これは可撓カバーシートの第一部分及び第二部分を一致させる効果的な方法である。無節操な人が、前記部分が重なり合う可撓カバーシートの一部を通じて進入することを欲するならば、彼は両方の組の導電性ワイヤを無効化しなければならない、即ち、各組のために交換用抵抗器を装着しなければならない。１つの組のみが無効化されるならば、ワイヤ間の平均距離はより大きいけれども、残余の組は可撓カバーシートの前記部分を依然として保護し得る。両方の組の導電性ワイヤが無効化される場合に限り、タンパ保護システムは作用し得ない。
【００２７】
前述したように、本発明のタンパ保護システムの実施の１つの実現可能な有利な方法は、導電性ワイヤの組に亘る電圧測定値を利用することであり得る。従って、第二の基準値は、電圧であり得るし、測定及び処理回路構成は、第二の所定電流を少なくとも第二組の導電性ワイヤに提供するよう配置される第二電流生成回路構成と、第二組の導電性ワイヤに亘る第二の複合電圧を測定するよう配置される第二の電圧測定回路構成と、第二の複合電圧と第二の基準値との間の第二の差を検出するよう配置される第二電圧差測定回路構成とを含み得る。それによって、この実施態様に従った第二組の導電性ワイヤを通じる第二の電流は既知であるので、第二の複合電圧は、第二組の導電性ワイヤの第二の複合電気抵抗を表示する。一部の実施態様のために、第一電流生成回路構成によって第二電流生成回路構成を提示し得ること、並びに、第一の所定電流によって第二の所定電流を更に提示し得ることが付記されなければならない。
【００２８】
本発明の第二の特徴によれば、積荷の盗難を防止するためのタンパ保護システムにおける使用のためのタンパ保護方法が提供され、タンパ保護システムは、積荷を覆うための可撓カバーシートと、可撓カバーシートの第一部分に沿って分配される第一組の導電性ワイヤとを含む。当該方法は、第一組の導電性ワイヤの第一の複合電気抵抗を表示する第一の測定値を測定し、第一の測定値と第一の基準値との間の第一の差を決定し、第一の差が所定の第一の閾値よりも下であるならば、第一の測定値に基づき第一の基準値を調節し、さもなければ、第一の閾値を超過したことを表示する信号をもたらすことを含む。そのような方法を用いるならば、本発明の第一の特徴と関連して記載したのと類似の効果を達成し得る。
【００２９】
本発明は、更に、前記タンパ保護システム上で作動されるとき前述の方法のステップの実行を可能にするコンピュータプログラムに関する。
【００３０】
本発明は請求項中に列挙される機能の全ての可能な組み合わせに関することが付記される。
【００３１】
本発明の実施態様を示す付属の図面を参照して、本発明のこれらの及び他の特徴をより詳細に記載する。
【図面の簡単な説明】
【００３２】
【図１ａ】本発明の第一実施態様に従った輸送車両によって支持される積荷の窃盗を防止するための例示的なタンパ保護システムを示す概略図である。
【図１ｂ】図１ａの第一実施態様の可撓カバーシートの第一部分を示す概略図である。
【図１ｃ】図１ａの第一実施態様の例示的な回路図を示す概略図である。
【図１ｄ】２つの制御装置を含む図１ａの第一実施態様に従ったタンパ保護システムを示す概略図である。
【図２ａ】本発明の第二実施態様に従った第二組の導電性ワイヤを含む例示的な代替的なタンパ保護システムを示す概略図である。
【図２ｂ】図２ａの第二実施態様の例示的な回路図を示す概略図である。
【図２ｃ】図２ａの第二実施態様の第二組の導電性ワイヤの代替的な配置を示す概略図である。
【図３ａ】本発明の第三実施態様に従った第三組の導電性ワイヤを含む例示的な代替的なタンパ保護システムを示す概略図である。
【図３ｂ】図３ａの第三実施態様の導電性ワイヤの組の代替的な混合配置を示す概略図である。
【図３ｃ】２つの制御装置を含む図３ａの第三実施態様に従った代替的なタンパを示す概略図である。
【図４】本発明の第一、第二、及び、第三実施態様に従ったタンパ保護システムにおける使用のためのタンパ保護方法の例示的なステップを示すフロー図である。
【発明を実施するための形態】
【００３３】
現時点における好適実施態様を示す添付図面を参照して、本発明をより完全に記載する。しかしながら、本発明を多くの異なる形態で具体化することができ、本発明がここに示される実施態様に限定されるものと解釈されてはならない。むしろ、これらの実施態様は、網羅性及び完全性のために並びに本発明の範囲を当業者に完全に伝達するために提供されている。本願明細書を通じて同様の記号は同様の素子を指している。
【００３４】
図１ａは、本発明の第一実施態様に従った輸送車両２によって支持される積荷の窃盗を防止するための例示的なタンパ保護システム１を提示している。輸送車両２、ここでは、トラックは、例示的であるに過ぎず、タンパ保護システム１を、例えば、ボート又は積荷を支持することを意図する他の車両のような輸送船に同様に実施し得るし、或いは、輸送されずむしろ貯蔵される積荷を保護するために同様に使用し得る。タンパ保護システム１によって作動される警報（アラート）、例えば、アラームが知覚可能であるように、タンパ保護システム１を警報表示器１９に接続し得る。作動される警報を表示するための様々な手段１９を実行可能である。例えば、警報表示器１９を視覚的、光学的、若しくは、音声的表示器、及び／又は、警報を、例えば、輸送車両のアラームセンター若しくは運転者に通信するよう配置される発信器によって提示し得る。故に、警報表示器１９を構成し得る。例えば、ＧＳＭ（登録商標）又はＢｌｕｅｔｏｏｔｈ（登録商標）を介する通信を支持し得るし、ＧＰＳと協働するよう配置されるときには、警報信号と一緒に車両２の位置を発信するよう更に構成し得る。トリガ表示器１９は、ここでは、トラック２の側部に沿って配置されている。しかしながら、トリガ表示器１９を任意に配置し得るし、代替的な実施態様によれば、むしろ、例えば、トラック２の積荷区画の内側に配置し得る。
【００３５】
輸送車両２は、積荷の少なくとも一部を覆うための可撓カバーシート３を備える。第一実施態様において、可撓カバーシート３はターポリン(tarpaulin)によって提示されているが、本発明はそれに限定されない。代替的な実施態様によれば、如何なる布、ドレープ、キャンバスカバー、又は、保護のために積荷の上を覆うのに適した任意の可撓材料で可撓カバーシート３を構成し得る。可撓カバーシート３は、図１ｂと共に以下に更に詳細に記載されるタンパ保護システム(tamper  protection  system)１を含む第一部分４を含む。
【００３６】
図１ｂは、第一実施態様の可撓カバーシート３の第一部分４を例示している。タンパ保護システム１、故に、第一部分４は例示的であるに過ぎず、タンパ保護システム１は、任意の位置付けを有し得ることに留意のこと。その上、第一部分４の頂部及び底部、故に、タンパ保護システム１の頂部及び底部は、図示されるように、単にターポリンのより小さい部分に亘って延在するよりもむしろ、トラック２の一方の側部を覆うターポリン３の一部の頂部及び底部と一致し得る。
【００３７】
タンパ保護システム１は、可撓カバーシート３の第一部分４に沿って分配される(distributed)第一組の導電性ワイヤ５を含む。代替的な実施態様に従った第一組の導電性ワイヤ５は、第一組の導電性ワイヤ５の横に及び／又は長さ方向における方法に更に延在し或いはより少なく延在し得ることが強調されなければならない。
【００３８】
タンパ保護システム１は、第一組の導電性ワイヤ５に接続された測定及び処理回路６を更に含む。測定及び処理回路６は、ここでは、簡潔性のために、第一組の導電性ワイヤ５に近接して配置されている。しかしながら、代替的に、実用的な理由のために、測定及び処理回路６を、むしろ、例えば、トラック２の積荷区画の内側に配置し得る。
【００３９】
第一組の導電性ワイヤ５は、第一実施態様によれば、端子Ａで共通導体７を介して測定及び処理回路６に並びに端子Ｂで第一導体８に並行に電気的に接続されている。しかしながら、代替的な実施態様によれば、共通導体７及び第一導体８以外の手段によって第一組の導電性ワイヤ５を測定及び処理回路６に接続することができ、必ずしも測定及び処理回路６に並行に電気的に接続される必要はないことに留意のこと。その上、第一組の導電性ワイヤ５のワイヤ（電線）は、ここでは、互いに対して並行に物理的に配置されているが、本発明はそれに限定されない。代替的に、ワイヤを任意の方法で物理的に配置してもよく、互いに交差してさえ配置し得る。例えば、図２ｃ、３ｂ、及び、３ｃと共に更に記載するように、直線でない共通導体７及び／又は第一導体８を備える実施態様を考えられたし。
【００４０】
図１ｃは、図１ａの第一実施態様の例示的な概略的な回路図を示している。回路図は、タンパ保護システム１の第一組の導電性ワイヤ５並びに測定及び処理回路６を例示している。測定及び処理回路６は、第一の所定電流Ｉ１を第一組の導電性ワイヤ５に提供するよう配置される第一電流生成回路構成を含み、第一組の導電性ワイヤ５は、第一複合抵抗Ｒ１を有する。ここでは、第一の所定電流Ｉ１を設定するために、デジタル−アナログ変換器（ＤＡＣ）９が、ＤＡＣ９からの出力を電圧から電流に変換するためのブロック１０と共に提供される。第一の所定電流Ｉ１が高ければ高いほど、第一の複合電気抵抗Ｒ１が変化するに応じて、第一組のワイヤ５に沿う第一の複合電圧Ｖ１及び後続の第一の差ΔＶ１はより大きくあり得る。他方、第一電流Ｉ１が比較的高く設定されるならば、第一複合電圧Ｖ１は電源Ｖ＋とほぼ等しくあり得る。それは第一複合電気抵抗Ｒ１における変化を検出するのを困難にする。第一の所定電流Ｉ１は可変であり、例えば、現在の環境条件に関連して最適化されるよう且つ／或いはタンパ保護システム１の電力消費を最適化されるよう、設計者の裁量で時間の経過と共に変化するよう第一の所定電流Ｉ１を設定し得る。代替的に或いは追加的に、第一電流Ｉ１の振幅を無作為化し得る。
【００４１】
第一句の導電性ワイヤ５に亘る第一複合電圧Ｖ１を測定するために、ここでは、差動動作増幅器を用いて、第一の電圧測定回路構成１１が設けられている。
【００４２】
その上、測定及び処理回路構成６は、第一基準値Ｖ１ｒｅｆの提供のための基準電圧回路構成１２、ここでは、デジタル−アナログ変換器を含む。第一複合電圧Ｖ１と第一基準値Ｖ１ｒｅｆとの間の第一の差ΔＶ１の検出のために、第一電圧差測定回路構成１３が設けられている。ここでは、差動動作増幅器を用いて、第一電圧差測定回路構成１３が実施される。その上、第一差ΔＶ１の測定のために、アナログ−デジタル変換器（ＡＤＣ）１４が設けられており、それによって、第一複合電流Ｉ１及び第一基準値Ｖ１ｒｅｆに基づき、現在の第一複合電気抵抗Ｒ１が取り出されることを可能にする。
【００４３】
タンパ保護システム１のための電力は、電源１５によって提供される。これは車両２の電池、典型的には、トラック用の２４Ｖの電池であり得る。それは別個の電源であってもよく、例えば、動力車両に取り付けられない状態で駐車されるトレーラ上で、システム１が独立して動作するのを可能にする。後者の場合には、エンジンが稼働していないときに、システム１が車両電池を消耗せずに動作するのを、別個の電源が可能にする。
【００４４】
図１ｄは、第一制御ユニット１６と第二制御ユニット１７とを含む第一実施態様に従ったタンパ保護システム１を提供する。（チップをそれぞれ構成し或いは含み得る）２つの制御ユニット１６，１７は、第一組の導電性ワイヤ５を介して、より具体的には、共通導体７及び第一導体８を通じて、互いに電気的に接続される。第一制御ユニット１６及び第二制御ユニット１７は、ここでは、第一組の導電性ワイヤ５の異なる側に互いに別個に配置される。しかしながら、代替的な実施態様によれば、２つの制御ユニット１６，１７を互いにより近接して配置し得る。図１ｄの第一制御ユニット１６及び第二制御ユニット１７は、特定のタンパ保護システム１のための特異な鍵を備える暗号化アルゴリズムに基づき、互いに通信し合うよう構成される。結果的に、システム１をハッキングする試みにおいて、潜在的なハッカーが第一制御ユニット１６及び第二制御ユニット１７用の代替物を一時的に装着することはできない。その上、第一制御ユニット１６から第二制御ユニット１７に発信される同期信号に基づき測定を開始するよう測定及び処理回路構成６を構成し得る。
【００４５】
図２ａは、本発明の第二実施態様に従った第二組の導電性ワイヤ２１を含む例示的な代替的なタンパ保護システム２０１を提示している。（第一組の導電性ワイヤと類似する特性を示し得る）第二組の導電性ワイヤ２１が、可撓カバーシート３の第二の部分に沿って分配されている。図２ａにおいて、第一部分４及び第二部分は互いに隣接して配置され、第二組の導電性ワイヤ２１のワイヤ（電線）は、第一組の導電性ワイヤ５のワイヤと直列に電気的に接続されている。ここにおけるような直列の電気接続は義務的ではない。第一部分４及び第二部分、その上、第一組の導電性ワイヤ５及び第二組の導電性ワイヤ２１を互いに関連して任意に配置してもよく、代替的な配置がこれより先に明らかになるであろう。第二組の導電性ワイヤ２１は、ここでは、端子Ａで共通導体７を介して測定及び処理回路構成６と並びに端子Ｃで第二導体２２と並行に電気的に接続される。第二導体２２は、共通導体７及び／又は第一導体８と類似の特性を示し得る。その上、第二組の導電性ワイヤ２１のワイヤの数は決して第一組の導電性ワイヤ５のワイヤの数と等しいように限定されない。
【００４６】
図２ｂは、図２ａの第二実施態様の例示的な概略的な回路図を例示している。回路図は、タンパ保護システム２０１の第一組の導電性ワイヤ５及び第二組の導電性ワイヤ２１並びに測定及び処理回路構成６の実施を例示している。第一電流生成回路構成、即ち、ＤＡＣ９及びブロック１０は、第一の所定電流Ｉ１を、第一組の導電性ワイヤ５のみならず、第二の複合電気抵抗Ｒ２を有する第二組の導電性ワイヤ２１にも提供するために配置されている。第二組の導電性ワイヤ２１に亘る第二複合電圧Ｖ２を測定するために、ここでは、差動動作増幅器を用いて、第二電圧測定回路構成２３が設けられている。基準電圧回路構成１２は、ここでは、第二の基準値Ｖ２ｒｅｆの提供のために適合されている。第二の複合電圧Ｖ２と第二の基準値Ｖ２ｒｅｆとの間の第二の差ΔＶ２の検出のために、第二電圧差測定回路構成２４が設けられる。ここでは、第二電圧差測定回路構成２４は、差動動作増幅器を用いて実施されている。
【００４７】
例えば、より少ない構成部品を利用し、且つ、第一の差ΔＶ１及び第の差ΔＶ２を交互に取得し得るために、測定及び処理回路構成６は、その上、多重変換装置（マルチプレクサ）２５を含む。ここでは、マルチプレクサ２５は、各差ΔＶ１、ΔＶ２のために１つずつ、２つの入力を含むよう例示されている。しかしながら、代替的な実施態様によれば、多重変換装置２５が、例えば、任意の数の組の導電性ワイヤを支持し得るよう、多重変換装置２５を、より多くの入力を含むような大きさにし得る。
【００４８】
第一の所定電流Ｉ１及び第二の基準値Ｖ２ｒｅｆに基づき現在の第二の複合電気抵抗Ｒ２が取り出されるのを可能にするよう、ＡＤＣ１４は第二の差ΔＶ２の測定のために構成される。第一組及び第二組の導電性ワイヤ５及び２１のワイヤは、ここでは、直列に電気的に接続される点で、第二組の導電性ワイヤ２１に供給されるべき第一の所定電流Ｉ１を利用する能力は実現可能であることが強調されなければならない。他の実施態様によれば、第二組の導電性ワイヤ２１は、独立した電流生成回路構成、故に、独立した所定電流を必要とし得る。それは、例えば、以下に記載されるべき図２ｃの例示のための場合である。
【００４９】
図２ｃは、図２ａの第二実施態様の第二組の導電性ワイヤ２１の代替的な配置を示している。ここでは、第一部分４及び第二部分は一致するよう配置され、第一組の導電性ワイヤ５のワイヤは、第二組の導電性ワイヤ２１のワイヤと交差する。第一組及び第二組の導電性ワイヤ５及び２１は、ここでは、双方とも可撓カバーシート３と一体化されている。しかしながら、代替的に、第一組及び第二組の導電性ワイヤ５及び２１をそれぞれの別個の織物と一体化し、引き続き、別個の織物を可撓カバーシート３に取り付け得る。短絡が回避されるよう、第一組及び第二組の導電性ワイヤ５及び２１のワイヤは、ワイヤが交差するところで互いに絶縁される。
【００５０】
共通導体７は、ここでは、直角αを伴って屈曲して配置され、第二組の導電性ワイヤ２１のワイヤが第一組の導電性ワイヤ５のワイヤと垂直に交差することを可能にする。他の実施態様に従った角度αは、他の値を取り得ること、及び、共通導体７は、１つよりも多くのそのような角度αを更に含み得ることが付記されなければならない。従って、ワイヤの交差は必ずしも垂直である必要はない。図２ｂにおけるように、第一組の導電性ワイヤ５は、端子Ａで共通導体７を介して並びに端子Ｂで第一導体８を介して、測定及び処理回路構成６と並行に電気的に接続されるのに対し、第二組の導電性ワイヤ２１は、端子Ａで共通導体７を介して並びに端子Ｃで第二導体２２を介して、測定及び処理回路構成６と並行に電気的に接続される。
【００５１】
図３ａは、本発明の第三実施態様に従った第三組の導電性ワイヤ３１を含む例示的な代替的なタンパ保護システム３０１を提示している。（第一組の導電性ワイヤ５と類似の特性を示し得る）第三組の導電性ワイヤ３１は、可撓カバーシート３の第三部分に沿って分配されている。図３ａでは、第二組の導電性ワイヤ２１が第一組の導電性ワイヤ５と第三組の導電性ワイヤ３１との間に配置されるよう、第一部分４、第二部分、及び、第三部分は互いに隣接して配置されている。ここでは、第一組、第二組、及び、第三組の導電性ワイヤ５、２１、及び、３１の全てのワイヤ（電線）は、直列に或いは交差してよりも、むしろ並行に配置され、それによって、タンパ保護システム１は、横方向に分配されたワイヤを示している。
【００５２】
第三組の導電性ワイヤ３１は、ここでは、端子Ａで共通導体７を介して並びに端子Ｄで第三導体３２を介して、測定及び処理回路構成６と並行に電気的に接続されている。第三導体３２は、共通導体７、第一導体８、及び／又は、第二導体２２と類似の特性を示し得る。図２の第二実施態様と関連して記載したように、第一組の導電性ワイヤ７は、端子Ａで共通導体７を介して並びに端子Ｂで第一導体を介して、測定及び処理回路構成６と並行に電気的に接続されるのに対し、第二組の導電性ワイヤ２１は、端子Ａで共通導体７を介して並びに端子Ｃで第二導体２２を介して、測定及び処理回路構成６と並行に電気的に接続されている。
【００５３】
図３ｂは、図３ａの第三実施態様の導電性ワイヤ５、２１、３１の組の代替的な再編成された配置を例示している。ここでは、第一部分４、第二部分、及び、第三部分は一致するよう配置され、共通導体７、第一導体８、第二導体２２、及び、第三導体３２は、ここでは、屈曲して配置され、導電性ワイヤ５、２１、３１のそれぞれの組のワイヤが互いに交差し合うことを可能にしている。混ぜ合わされた（シャッフルされた）配置は、第一組の導電性ワイヤ５の、例えば、少なくとも１つのワイヤのための共通導体７への接続部を、第二組２１及び／又は第三組３１の導電性ワイヤの２つのワイヤのための共通導体７への接続部３４，３５の間に配置し得ることを意味する。
【００５４】
図３ｃは、第一制御ユニット１６と第二制御ユニット１７とを含む図３ａの第三実施態様に従った代替的なタンパ保護システム３０１を示している。
【００５５】
図４は、上記実施態様のいずれかに従ったタンパ保護システムにおける使用のためのタンパ保護方法の例示的なステップを提供している。一例として、図１ｃの概略的な回路図と共に、図３ｂの第三実施態様に従ったタンパ保護システム３０１を考察のこと。ステップは必ずしも提示の順序で行われる必要がないことが付記されなければならない。逆に、ステップを設計者の裁量で如何なる順序で行ってもよく、部分的に同時に行われてさえもよい。タンパ保護システム３０１が作動している限り、ステップを連続的ループにおいて反復し得ることが更に付記されなければならない。
【００５６】
図３ｃのタンパ保護システムは、３つの組の導電性ワイヤ５、２１、３１を含むので、ここでは、それぞれの組５、２１、３１の測定を交替するよう測定及び処理回路構成６を構成し得る。測定は順次的に交替されるが、代替的な実施態様によれば、無作為的に交替されてもよい。その上、タンパ保護システム３０１内の電力消費を許容可能なレベルに維持するために、測定及び処理回路構成６は、ここでは、測定が間欠的に開始されるよう構成される。測定のための適切な周波数は、例えば、１Ｈｚであり得る。しかしながら、これらの時間間隔の無作為化されたタイミングが好適であり得る。
【００５７】
第二組２１及び第三組３１の導電性ワイヤの測定は、第一組の導電性ワイヤ５のために行われる測定と類似するので、以下に第一組の導電性ワイヤ５に関連する測定のみを詳細に記載する。
【００５８】
初めに、第一組の導電性ワイヤ５の予期される第一複合電気抵抗Ｒ１を表示する初期的な第一基準値が確立される必要がある。図１ｃの例示的な実施例によれば、基準値は、必ずしもそうである必要はないが、可能であれば、電圧によって提示され、故に、初期の第一基準値は、第一基準値Ｖ１ｒｅｆによって表される。如何なる任意の時点にも、例えば、輸送車両２が運転を停止するときに、初期の第一基準値Ｖ１ｒｅｆを較正し得る。第二の基準値Ｖ２ｒｅｆは、第二組の導電性ワイヤ２１の第二の複合電気抵抗Ｒ２と関連付けられ、第三基準値Ｖ３ｒｅｆは、第三組の導電性ワイヤ３１の予期される第三の複合電気抵抗Ｒ３と関連付けられ、それによって、それぞれの基準値Ｖ１ｒｅｆ、Ｖ２ｒｅｆ、Ｖ３ｒｅｆを別個に較正し、引き続き、取り扱う必要があり得る。
【００５９】
第一ステップ４０２において、第一組の導電性ワイヤ５の第一の複合電気抵抗Ｒ１を表示する第一の測定値、即ち、第一の複合電圧Ｖ１が測定される。次に、ステップ４０４において、第一の複合電圧Ｖ１と第一の基準電圧Ｖ１ｒｅｆとの間の第一の差ΔＶ１が決定される。次に、ステップ４０６において、測定及び処理回路構成６は、第一の差ΔＶ１が所定の第一の閾値より下であるか否かを分析する。第一の閾値は、好ましくは、可撓カバーシート３のタンパリングに恐らく起因する複合電気抵抗Ｒ１の幾分大きな変化は第一の閾値を超過するが、環境的影響に恐らく起因する幾分小さな変化は超過しないことを可能にするように選択される。
【００６０】
第一の差ΔＶ１が第一の閾値よりも下の値を有することが分かったならば、ステップ４０８において、第一の基準値Ｖ１ｒｅｆは、第一の複合電圧Ｖ１に基づき調節される。従って、第一基準値Ｖ１ｒｅｆは、第一の複合電圧Ｖ１の値を得るよう調節され、それによって、最新の既知の環境条件を反映する値を示す。
【００６１】
他方、ステップ４０１において、第一の差ΔＶ１が、第一の閾値値を越える値を有することが分かったならば、積荷を盗む試みが行われている可能性がある。ここでは、誤った単一の測定値が不当な警告を作動することを防止するために、第一の差ΔＶ１の複数の測定が考慮に入れられる。従って、ステップ４０２乃至４０６は反復される。代替的に、前の第一の差ΔＶ１を考察し得る。少なくとも２つのサンプル、ここでは、２つの連続的なサンプルが第一の閾値を超える場合に限り、測定及び処理回路構成６は、ステップ４１２において、第一の閾値が超過されたことを表示する信号をもたらす。次に、可撓カバーシート３のタンパリングを外見上表示する警告を作動するために信号を利用し、ひいては、それを警報表示器１９によって通信し得る。
【００６２】
前述したような第一組の導電性ワイヤ５に関連する測定は、第二組２１及び第三組３１の導電性ワイヤに関連しても同様の方法において遂行し得る。
【００６３】
当業者は本発明が上述の好適実施態様に決して限定されないことを認識する。逆に、付属の請求項の範囲内で、多くの修正及び変更が可能である。請求項の発明を実施する当業者は、図面、開示、及び、付属の請求項を研究することから、開示の実施態様に対する変更を理解し且つ行い得る。請求項中、「含む」という用語は、他の素子又はステップを排除せず、不定冠詞は複数を排除しない。
【図１ａ−１ｂ】
2012531650.tif 000003
【図１ｃ】
2012531650.tif 000004
【図１ｄ】
2012531650.tif 000005
【図２ａ】
2012531650.tif 000006
【図２ｂ】
2012531650.tif 000007
【図２ｃ】
2012531650.tif 000008
【図３ａ】
2012531650.tif 000009
【図３ｂ】
2012531650.tif 000010
【図３ｃ】
2012531650.tif 000011
【図４】
2012531650.tif 000012
【国際調査報告】
2012531650.tif 000013
2012531650.tif 000014